(57)【要約】【課題】自動販売機の前面に突出する扉係止金具の端部の角に身体をぶつけても、怪我の発生を有効に防止することができ、しかも、内部施錠機構の腐食発生を防止することができる自動販売機の開扉防止装置を提供する。【解決手段】自動販売機の側壁等に固着する固定金具２と、一方の端部を前記固定金具２の先端に着脱可能に嵌合した状態で自動販売機Ａの扉Ｂの前面側に配置する扉係止金具３からなる自動販売機の開扉防止装置１であり、前記扉係止金具３の他方の端部に、この端部を覆うゴム製の保護キャップ５を嵌着し、この保護キャップ５が、扉係止金具３の他方の端部に外嵌するよう、扉係止金具３の外周に緊密に嵌る枠状周壁の一端が開口して他端を端壁で閉鎖した容器状に形成されている。【選択図】図１
0003123098.tif 000002
【実用新案登録請求の範囲】
【請求項１】
自動販売機の側壁等にその先端側を自動販売機の扉の前面に対して前方へ所定長さ突出させて固着する固定金具と、一方の端部を前記固定金具の先端に着脱可能に嵌合した状態で自動販売機の扉の前面側に配置され、施錠機構によって前記嵌合部分の結合と解除を行うことができる扉係止金具からなる自動販売機の開扉防止装置において、
前記扉係止金具の他方の端部に、この端部を覆う弾性材料製の保護キャップを嵌着したことを特徴とする自動販売機の開扉防止装置。
【請求項２】
上記保護キャップは、扉係止金具の他方の端部に外嵌するよう、扉係止金具の外周に緊密に嵌る枠状周壁の一端が開口して他端を端壁で閉鎖した容器状に形成され、前記周壁の内面に、扉係止金具の組み立てに使用されたビスの頭部に対して外嵌し、保護キャップの抜け止め用となる凹部を設けたことを特徴とする請求項１に記載の自動販売機の開扉防止装置。
【請求項３】
上記保護キャップは、天然ゴムを用いて形成され、抗菌加工が施されていることを特徴とする請求項１又は２に記載の自動販売機の開扉防止装置。
【考案の詳細な説明】
【技術分野】
【０００１】
この考案は、自動販売機に対して補助的に取付けることで開扉を困難にし、自動販売機内の金品や商品の盗難を防止できるようにする開扉防止装置、更に詳しくは、開扉防止装置に身体が衝突することによる怪我の発生を未然に防止することができるようにして、安全性の向上を図ることができるようにした開扉防止装置に関する。
【背景技術】
【０００２】
自動販売機は、その内部に、販売せんとする商品だけでなく、多額の釣り銭や売り上げ金が収納されているため、夜間や人通りの少ない場所に設置された自動販売機から金品等を窃盗する犯罪が近年多発しており、一般的に、この窃盗の手口は、扉の施錠装置を破壊して開扉することにより行われる。
【０００３】
また、自動販売機の内部には、高価な電子制御装置が組み込まれており、金品を目的とした窃盗時にこの電子制御装置が破壊されることが多々あり、金品の窃盗以上に大きな経済的損害を被ることになる。
【０００４】
そこで、このような犯罪に対処するため、自動販売機の扉の錠前を破壊しても開扉することができないようにする、Ｌ型で施錠式の開扉防止装置がすでに提案されている。
【０００５】
従来の開扉防止装置は、自動販売機の本体における側壁の外面に、その先端側を扉側に所定長さだけ突出するようボルトで固定する固定金具と、一方の端部を前記固定金具の先端に着脱可能に嵌合した状態で自動販売機の扉の前面側に配置され、施錠機構によって前記嵌合部分の結合と解除を行うことができる扉係止金具の組み合わせによって形成されている（例えば、特許文献１参照）。
【０００６】
上記固定金具は、金具本体と、この金具本体を自動販売機の側壁に固定するボルトと、このボルトを隠蔽するよう金具本体に固定するカバーとの組み合わせからなり、上記扉係止金具は、その一端側に、閉扉状態で金具本体の先端部に外嵌する嵌合部を設け、この扉係止金具に、上記嵌合部に対して出没し、上記金具本体の先端部に設けたラッチ孔に係脱して嵌合部分の結合と解除を行うラッチを備えた施錠機構を組み込んだ構造になっている。
【０００７】
このような開扉防止装置は、自動販売機の側壁等の外面に固定金具をボルトで固定し、閉じた扉の前面に扉係止金具を臨ませてその嵌合部を固定金具の先端部に外嵌し、固定金具と扉係止金具をＬ型に組み合わせ、扉係止金具の施錠機構を錠前で操作してラッチをラッチ孔に係合させた施錠状態とすれば、固定金具と扉係止金具が分離不能に結合され、扉の錠前が破壊されても、扉はこの開扉防止装置の扉係止金具で開扉不能となり、自動販売機に対する金品の窃盗や高価な電子制御装置の破壊を防ぐことができる。
【特許文献１】特開２００５−７６３４３号公報
【考案の開示】
【考案が解決しようとする課題】
【０００８】
ところで、自動販売機はその前面が人の通る通路に向くよう設置されるが、上記のような開扉防止装置は、自動販売機の前面に扉係止金具が位置するよう固定して使用するため、自動販売機の前面から通路に向けて金属製の前記扉係止金具がその厚み分だけ突出するため、自動販売機の前を通る人や商品を購入する人が誤って扉係止金具の端部の角に身体をぶつけて怪我をするという危険性がある。
【０００９】
また、扉係止金具の内部には施錠機構が組み込まれているが、扉係止金具が金属板を組み合わせてビスで組み立てた構造であるので、端部に防水性がなく、このため、端部から雨水が浸入し、内部の施錠機構を腐食させるという問題がある。
【００１０】
そこで、この考案の課題は、自動販売機の前面に突出する扉係止金具の端部の角に身体をぶつけても、怪我の発生を有効に防止することができ、しかも扉係止金具の端部に防水性を与えて施錠機構の腐食発生を防止することができる自動販売機の開扉防止装置を提供することにある。
【課題を解決するための手段】
【００１１】
上記のような課題を解決するため、この考案は、自動販売機の側壁等にその先端側を自動販売機の扉の前面に対して前方へ所定長さ突出させて固着する固定金具と、一方の端部を前記固定金具の先端に着脱可能に嵌合した状態で自動販売機の扉の前面側に配置され、施錠機構によって前記嵌合部分の結合と解除を行うことができる扉係止金具からなる自動販売機の開扉防止装置において、前記扉係止金具の他方の端部に、この端部を覆う弾性材料製の保護キャップを嵌着した構成を採用したものである。
【００１２】
上記保護キャップは、扉係止金具の他方の端部に外嵌するよう、扉係止金具の外周に緊密に嵌る枠状周壁の一端が開口して他端を端壁で閉鎖した容器状に形成され、前記周壁の内面に、扉係止金具の組み立てに使用されたビスの頭部に対して外嵌し、保護キャップの抜け止め用となる凹部を設けた構造とすることができる。
【００１３】
また、上記保護キャップは、天然ゴムを用いて形成され、抗菌加工が施されている構造を採用することができる。
【考案の効果】
【００１４】
この考案によると、自動販売機の前面に突出する扉係止金具の端部にゴム製の保護キャップを嵌着したので、扉係止金具の端部の角を弾力的に覆うことができ、この部分に身体が衝突したときの衝撃を保護キャップで緩衝し、金属部分の角による怪我の発生を防ぐことができる。
【００１５】
また、ゴム製の保護キャップは、扉係止金具の端部を水密状に密閉することができ、防水効果によって、雨水の浸入による施錠機構の腐食発生を防いで耐久性の向上を図ることができる。
【００１６】
更に、扉係止金具の組み立てに使用されたビスの頭部に対して外嵌し、保護キャップの抜け止め用となる凹部を設けた構造とすることにより、取付けと同時に抜け止め状態が得られ、保護キャップの安定した固定状態が得られる。
【考案を実施するための最良の形態】
【００１７】
以下、この考案の実施の形態を図示例と共に説明する。
【００１８】
図示のように、開扉防止装置１は、自動販売機Ａの側壁等の外面に、その先端側を扉Ｂの前面に対して所定長さだけ前方に突出するようボルトで固定する固定金具２と、自動販売機Ａの扉Ｂの前面に配置し、その一端側端部を固定金具２の先端部に着脱可能に嵌合する扉係止金具３と、この扉係止金具３の内部に組み込まれ、前記嵌合部分の結合と解除を行うことができる施錠機構４と、前記扉係止金具３の他方側端部に嵌着するゴム製の保護キャップ５によって形成されている。
【００１９】
上記固定金具２は、十分な強度のある板厚の金属板を用いて断面コ字状に形成され、その先端にラッチ孔６が設けられた金具本体７と、この金具本体７の外面に被せるカバー８との組合わせからなり、自動販売機Ａの側面等に内側からボルトで固定されるようになっている。
【００２０】
上記扉係止金具３は、十分な強度のある板厚の金属板を用いて断面コ字状に形成された外ケース９と、この外ケース９の背面側を閉鎖するように複数のビス１１で固定した裏板１０とで形成され、外ケース９の一端側内部に、上記金具本体７の先端部に外嵌することにより、この扉係止金具３が長さ方向に移動しないように嵌る嵌合部１２が背面側で開口する凹溝状に設けられ、この扉係止金具３の内部に、上記嵌合部１２に対して出没し、上記金具本体７の先端部に設けたラッチ孔６に係脱するラッチ１３を備えた施錠機構４が組み込まれ、この施錠機構４は、扉係止金具３の前面に位置する錠前挿入部１４に錠前を差し込んで操作することにより、ラッチ１３をラッチ孔６に係脱させると共に、ラッチ孔６へのラッチ１３の係止状態を施錠して、扉係止金具３を取り外し不能にするようになっている。
【００２１】
上記扉係止金具３の他方の端部を覆う保護キャップ５は、図４のように、扉係止金具３の他方の端部に外嵌するよう、扉係止金具３の外周に緊密に嵌る枠状周壁１５の一端が開口して他端を端壁１６で閉鎖した容器状に形成され、前記周壁１５の内面で両端部寄りの位置に、扉係止金具３の組み立てに使用されたビス１１の頭部に対して外嵌し、保護キャップ５の抜け止め用となる凹部１７が設けられている。
【００２２】
この保護キャップ５は、弾性材料として天然ゴムを用い、抗菌加工が施されている構造とすることができる。
【００２３】
この考案の開扉防止装置は上記のような構成であり、次に自動販売機に対する使用方法を説明する。
【００２４】
図２のように、例えば、自動販売機Ａの本体の側壁で扉Ｂ寄りの位置に、スペーサを介して固定金具２をボルトで側壁の内面側から固定し、この固定金具２のラッチ孔６を設けた先端側を扉Ｂの前面よりも少し突出した配置にする。
【００２５】
上記扉係止金具３を扉Ｂの前面に水平状態で臨ませ、扉Ｂの閉扉状態でその一端側に設けた嵌合部１２を固定金具２の先端部に外嵌し、固定金具と扉係止金具３をＬ型の配置で結合すれば、固定金具２に対して扉係止金具３は嵌合部分で保持される。
【００２６】
上記のような状態で、扉係止金具３の前面に位置する施錠機構４の錠前挿入部１４に錠前を差し込んでラッチ１３を突出操作し、これを固定金具２のラッチ孔６に係合させると、固定金具２に対して扉係止金具３は結合状態が施錠され、扉係止金具３は取り外し不能になり、扉Ｂの前面に位置するこの扉係止金具３で扉Ｂの開放を不可能にする。
【００２７】
また、扉Ｂの開放が必要なときは、施錠機構４の錠前挿入部１４に錠前を差し込んでラッチ１３を没入操作し、ラッチ孔６との係合を解いて開錠とすればよく、固定金具２に対して扉係止金具３を取り外すことができ、扉Ｂは錠前を開錠することで開くことができる。
【００２８】
上記のような開扉防止装置１において、扉の前面に位置する扉係止金具３の他方端部には弾性のある保護キャップ５が被せてあるので、扉係止金具３の端部の角を弾力的に覆って保護することができ、この部分に身体が衝突したときの衝撃を保護キャップ５で緩衝し、金属部分の角による怪我の発生を防ぐことができる。
【００２９】
また、ゴム製の保護キャップ５は、扉係止金具３の端部を水密状に密閉することができ、防水効果によって、雨水の浸入による施錠機構４の腐食発生を防いで耐久性の向上を図ることができる。
【００３０】
更に、保護キャップ５の周壁に、扉係止金具３の組み立てに使用されたビス１１の頭部に対して外嵌し、保護キャップ５の抜け止め用となる凹部１７を設けた構造とすることにより、保護キャップ５の取付けと同時に抜け止め状態が得られ、特別な抜け止め手段を用いることなく保護キャップ５の安定した固定状態が得られる。
【図面の簡単な説明】
【００３１】
【図１】この考案の開扉防止装置の自動販売機に固定した状態を示す斜視図
【図２】（ａ）は開扉防止装置の自動販売機への取付け状態を示す平面図、（ｂ）は（ａ）の矢印ｂ−ｂに沿う拡大した縦断側面図
【図３】図２（ａ）の矢印ａ−ａで縦断した拡大背面図
【図４】（ａ）は保護キャップの斜視図、（ｂ）は保護キャップと開扉防止装置の関係を示す分解斜視図
【符号の説明】
【００３２】
１        開扉防止装置
２        固定金具
３        扉係止金具
４        施錠機構
５        保護キャップ
６        ラッチ孔
７        金具本体
８        カバー
９        外ケース
１０      裏板
１１      ビス
１２      嵌合部
１３      ラッチ
１４      錠前挿入部
１５      枠状周壁
１６      端壁
１７      凹部
【図１】
0003123098.tif 000003
【図２】
0003123098.tif 000004
【図３】
0003123098.tif 000005
【図４】
0003123098.tif 000006